(57)【要約】【課題】  各レンズ群構成を適切に設定することにより、全変倍範囲にわたり高い光学性能を有したズームレンズの提供を目的とする。【解決手段】  各レンズ群構成を適切に設定することにより、全変倍範囲にわたり高い光学性能を有したズームレンズの提供を目的とする。  物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動し、該第４群中に中心から周辺にかけて正の屈折力が弱くなる非球面を施した正レンズを有する構成とすることで、比較的バックフォーカスの長く、高い光学性能を有した高倍率ズームレンズを達成できる。【選択図】  図１
2006184430.tif 000002
【特許請求の範囲】
【請求項１】
物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動し、該第４群中に中心から周辺にかけて正の屈折力が弱くなる非球面を施した正レンズを有し、該正レンズの材質の屈折率、アッベ数を各々Vdp、Vdpとし、広角端における全系の焦点距離をｆｗ、広角端におけるバックフォーカスをskwとしたとき、
（−0.014Vdp+2.53）／Ndp＜１
１．６＜skw／ｆｗ＜３．０
なる条件を満足することを特徴とするズームレンズ。
【請求項２】
物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動し、該第４群中に中心から周辺にかけて正の屈折力が弱くなる非球面を施した正レンズを有し、該正レンズの材質の屈折率、アッベ数、焦点距離を各々Vdp、Vdp、ｆｐとし、広角端における全系の焦点距離をｆｗとしたとき、
（−0.014Vdp+2.53）／Ndp＜１
０．５＜ｆｐ／ｆｗ＜２．０
なる条件を満足することを特徴とするズームレンズ。
【請求項３】
物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動し、該第４群中に中心から周辺にかけて正の屈折力が弱くなる非球面を施した正レンズを有し、該正レンズの材質の屈折率、アッベ数、焦点距離を各々Vdp、Vdp、ｆｐとし、望遠端における全系の焦点距離をｆｔ、広角端から望遠端への変倍時における第４群の移動量をｍｒとしたとき、
（−0.014Vdp+2.53）／Ndp＜１
−０．５＜ｍｒ／ｆｔ＜−０．０９
なる条件を満足することを特徴とするズームレンズ。
【請求項４】
前記広角端における全系の焦点距離をｆｗ、望遠端における全系の焦点距離をｆｔとしたとき、
３．３＜ｆｔ／ｆｗ＜９
なる条件を満足することを特徴とする請求項１、２、３記載のズームレンズ。
【請求項５】
前記最も像側に配置された正レンズ群の焦点距離をｆｒ、広角端における全系の焦点距離をｆｗとしたとき、
１＜ｆｒ／ｆｗ＜２．５
なる条件を満足することを特徴とする請求項１、２、３記載のズームレンズ。
【請求項６】
無限遠から至近までの被写体に対して少なくとも前記第２群を光軸上移動させてフォーカシングを行い、  前記第２群の焦点距離をｆ２、広角端における全系の焦点距離をｆｗとしたとき、
−１．５＜ｆ２／ｆｗ＜−０．４
なる条件を満足することを特徴とする請求項１、２、３記載のズームレンズ。
【請求項７】
前記第１群の焦点距離をｆ１、広角端における全系の焦点距離をｆｗとしたとき、
２＜ｆ１／ｆｗ＜７
なる条件を満足することを特徴とする請求項１、２、３記載のズームレンズ。
【請求項８】
前記最も像側に配置された正レンズ群中の正レンズの平均アッベ数をVpave、負レンズの平均アッベ数をVnaveとしたとき、
３５＜Vpave−Vnave＜７７
なる条件を満足することを特徴とする請求項１、２、３記載のズームレンズ。
【発明の詳細な説明】
【技術分野】
【０００１】
本発明は銀塩フィルムカメラ、電子記録方式のデジタルカメラやビデオカメラ等に最適なズームレンズに関し、焦点距離に対してバックフォーカスが比較的長いカメラに最適な屈折力配置やズーム構成を設定することにより、高い光学性能と小型化が図られたズームレンズに関するものである。
【背景技術】
【０００２】
従来より比較的バックフォーカス（無限遠物点におけるレンズ最終面から近軸像面までの距離）が長く、高変倍のズームレンズが多数提案されている。高変倍化においてネガティブリードでは、広角端におけるレンズ全長が増大し、また、前玉径が増大するため好ましくない。一方、ポジティブリードは広角端におけるレンズ全長が短く、前玉径も小さくすることが可能なため好ましい。
【０００３】
例えば、物体側より順に、正、負、正、負、正の屈折力の５つのレンズ群で構成される、所謂５群ズームレンズが知られている。このズームタイプは変倍時の各レンズ群の移動量が比較的少ないので、高変倍のズームレンズに好適であり、またバックフォーカスを確保しやすいことから短焦点側の広角化にも有利である。前記ズームタイプのズームレンズが例えば特公昭５８−３３５３１号公報、特公昭６１−５１２９１号公報、特公昭６１−５１２９４号公報等にて開示されている。本出願人も同様のズームレンズを特開平５−１１９２６０号公報、特開平６−２３０２８５号公報、特開平８−１７９２１３号公報、特開平９−３０４６９７号公報等にて開示している。
【０００４】
また、物体側より順に、正、負、正、負の屈折力の４つのレンズ群で構成される、所謂４群ズームレンズが知られている。本出願人も特開平９−１８４９８２号公報等にて開示している。
【０００５】
また、最も像側のレンズ群に低分散ガラスを用いて高変倍化に伴う色収差を良好に補正したポジティブリード型のズームレンズとして特開平２００１−９１８３３号公報、特開平２００２−６２４７８号公報等にて開示している。
【特許文献１】特公昭５８−３３５３１号公報
【特許文献２】特公昭６１−５１２９１号公報
【特許文献３】特公昭６１−５１２９４号公報
【特許文献４】特開平５−１１９２６０号公報
【特許文献５】特開平６−２３０２８５号公報
【特許文献６】特開平８−１７９２１３号公報
【特許文献７】特開平９−３０４６９７号公報
【特許文献８】特開平９−１８４９８２号公報
【特許文献９】特開平２００１−９１８３３号公報
【特許文献１０】特開平２００２−６２４７８号公報
【発明の開示】
【発明が解決しようとする課題】
【０００６】
近年デジタル一眼レフカメラ用ズームレンズにおいて、高変倍化と高画質化が求められている。特に焦点距離に対し、長いバックフォーカスを確保しようとすると色収差の補正が困難となる。各群の屈折力を弱くして補正しようとすると小型化において満足できなくなる。
【０００７】
特公昭５８−３３５３１号公報、特公昭６１−５１２９１号公報、特公昭６１−５１２９４号公報、特開平５−１１９２６０号公報、特開平６−２３０２８５号公報、特開平８−１７９２１３号公報、特開平９−３０４６９７号公報、特開平９−１８４９８２号公報等においては、焦点距離に対して十分なバックフォーカスが確保されておらず、また、色収差補正において不十分であった。
【０００８】
また、特開平２００１−９１８３３号公報、特開平２００２−６２４７８号公報等においては、最も像側の正レンズ群に低分散ガラスよりなる非球面レンズを用いて色収差を補正しているが、補正効果が十分に得られる構成になっておらず、レンズ系の小型化において不十分であった。
【０００９】
本発明は、各レンズ群構成を適切に設定することにより、全変倍範囲にわたり高い光学性能を有したズームレンズの提供を目的とする。
【課題を解決するための手段】
【００１０】
（第１の発明）
物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動し、該第４群中に中心から周辺にかけて正の屈折力が弱くなる非球面を施した正レンズを有し、該正レンズの材質の屈折率、アッベ数を各々Vdp、Vdpとし、広角端における全系の焦点距離をｆｗ、広角端におけるバックフォーカスをSkwとしたとき、
（−0.014Vdp+2.53）／Ndp＜１                （1a）
１．６＜ｓｋｗ／ｆｔ＜３．０              （２）
なる条件を満足すること。
【００１１】
（第２の発明）
物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動し、該第４群中に中心から周辺にかけて正の屈折力が弱くなる非球面を施した正レンズを有し、該正レンズの材質の屈折率、アッベ数、焦点距離を各々Vdp、Vdp、ｆｐとし、広角端における全系の焦点距離をｆｗとしたとき、
（−0.014Vdp+2.53）／Ndp＜１              （1b）
０．５＜ｆｐ／ｆｗ＜２．０              （３）
なる条件を満足すること。
【００１２】
（第３の発明）
物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動し、該第４群中に中心から周辺にかけて正の屈折力が弱くなる非球面を施した正レンズを有し、該正レンズの材質の屈折率、アッベ数、焦点距離を各々Vdp、Vdp、ｆｐとし、望遠端における全系の焦点距離をｆｔ、広角端から望遠端への変倍時における第４群の移動量をｍｒとしたとき、
（−0.014Vdp+2.53）／Ndp＜１                （1c）
−０．５＜ｍｒ／ｆｔ＜−０．０９            （４）
なる条件を満足すること。
【発明の効果】
【００１３】
各レンズ群構成を適切に設定することにより、全変倍範囲にわたり高い光学性能を有したズームレンズが実現できる。
【発明を実施するための最良の形態】
【００１４】
図１から図４は本発明の数値実施例１から４の広角端におけるレンズ断面図である。
【００１５】
図中、Ｌ１は正の屈折力の第１群、Ｌ２は正の屈折力の第２群、Ｌ３は正の屈折力の第３群、Ｌ４は正または負の屈折力の第４群、Ｌ５は正の屈折力の第５群であり、広角端から望遠端にかけて、第１群と第２群の軸上空気間隔を拡大、第２群と第３群の軸上空気間隔を減少させるように全ての群を共に移動させて変倍を行っている。また、ＳＰは絞り、ＩＰは近軸像面である。
【００１６】
次に本発明のズームレンズのレンズの基本構成について説明する。
【００１７】
物体側から順に正の屈折力を有する第１群と、負の屈折力を有する第２群、正の屈折力を有する第３群、最も像面側に配置された正の屈折力を有する第４群を有し、広角端より望遠端への変倍に際し、第１群と第２群との軸上空気間隔を拡大、第２群と第３群の軸上空気間隔を減少させるように少なくとも第１群と第３群と第４群を物体側へ移動している。第１群を広角端から望遠端にかけて第２群との間隔を拡大させながら移動することにより第２群に変倍を大きく分担させて高変倍化と小型化を図っている。また、第２群を広角端から望遠端にかけて第３群との間隔を減少させながら移動することにより望遠端においてテレフォトタイプを強めることで全長短縮を図っている。
【００１８】
更に、第４群中に中心から周辺にかけて正の屈折力が弱くなる非球面を施した正レンズを有し、該正レンズの材質の屈折率、アッベ数を各々Vdp、Vdpとしたとき、
（−0.014Vdp+2.53）／Ndp＜１                (1a)(1b)(1c)
なる条件を満足するようにしている。
【００１９】
以上を基本構成として、第１発明、第２発明、第３発明について説明する。
【００２０】
（第１発明）
上記基本構成に加え、第１発明においては更に前記条件式（1a）と（２）を同時に満足するようにしている。
【００２１】
（第２発明）
上記基本構成に加え、第２発明においては更に前記条件式（1b）と（３）を同時に満足するようにしている。
【００２２】
（第３発明）
上記基本構成に加え、第３発明においては更に前記条件式（1c）と（４）を同時に満足するようにしている。
【００２３】
次に前述の条件式の技術的意味について述べる。
【００２４】
最も像側に配置された正の第４群を通過する光線高さは変倍による変化が大きく、特に広角端において倍率収差が発生し易いため、比較的低分散の硝材を正レンズに使うのが良い。ただ、特に広角端の倍率色収差が補正過剰となり、望遠端の倍率色収差が補正不足となる傾向がる。そこで、前記第４群中の正レンズに中心から周辺にかけて正の屈折力が弱くなる非球面を施している。この非球面で比較的強い正の屈折力を有する前記第４群で発生するコマ収差や歪曲収差を良好に補正できると同時に、広角端における倍率色収差補正効果は少し弱め、望遠端における倍率色収差補正効果を強めており、バランス良く倍率色収差を補正できる。また、高変倍化に伴って広角端において中心から周辺にかけての倍率色収差の変化が大きくなる傾向があるが、前記条件を満足することで良好に補正可能である。
【００２５】
条件式(1a)(1b)(1c)は、前記第４群中に中心から周辺にかけて正の屈折力が弱くなる非球面を施した正レンズの材質の屈折率とアッベ数の関係式で主に全変倍範囲において色収差を良好に補正するためのものである。
【００２６】
条件式(1a)(1b)(1c)の上限値を超えると特に広角端における倍率色収差が補正困難となるので良くない。
【００２７】
条件式（２）は広角端におけるバックフォーカスと全系の焦点距離の比に関するものであり、倍率色収差をバランス良く補正するためのものである。
【００２８】
高変倍率ズームで十分なバックフォーカスを確保しようとすると、特に広角端における倍率色収差が補正不足になる傾向にある。
【００２９】
条件式（２）の下限値を超えると特に広角端における倍率色収差が補正過剰となるため良くない。また、上限値を超えると特に広角端における倍率色収差が補正不足となるため良くない。
【００３０】
更に、高い光学性能を得るためには、条件式（２）の下限値を１．７とすることが好ましい。また、上限値を２．５とすることが好ましい。
【００３１】
条件式（３）は、該第４群中に中心から周辺にかけて正の屈折力が弱くなる非球面を施した正レンズの焦点距離と広角端における全系の焦点距離の比に関し、主に全変倍に渡り倍率色収差をバランス良く補正すると共に、前記正レンズの倍率色収差補正効果を十分得るために条件である。
【００３２】
条件式（３）の下限値を超えると正レンズの屈折力が強くなり過ぎて特に広角端において倍率色収差が補正過剰となり、また、曲率半径が強くなり過ぎる傾向にあるので加工上も困難となるため良くない。また、下限値を超えると正レンズの屈折力が弱くなり過ぎて倍率色収差補正効果が弱くなり、特に、広角端における倍率色収差が補正不足となるので良くない。
【００３３】
更に好ましくは、条件式（３）の下限値を１．１とすることが望ましい。また、下限値を１．６とすることが望ましい。
【００３４】
条件式（４）は、望遠端における全系の焦点距離をｆｔと、広角端から望遠端への変倍時における第４群の移動量をｍｒの比に関し、主に全変倍に渡り倍率色収差をバランス良く補正すると共に、前記正レンズの倍率色収差補正効果を十分得るために条件である。
【００３５】
条件式（４）の上限値を超えると前記第４群の移動量が小さくなり過ぎて、広角端と望遠端の前記第4群を通過する軸外光束の高さ変化が小さくなるので、倍率色収差補正効果を十分得ることができず変倍による倍率色収差変動を抑制することが困難となるので良くない。
【００３６】
また、下限値を超えるとレンズ系が大型化するので良くない。
【００３７】
更に好ましくは、条件式（４）の下限値を−０．４とすることが望ましい。また、下限値を−０．１２とすることが望ましい。
以上の如く構成することにより本発明の目的は達成可能である。
【００３８】
更に、第１、２、３発明において好ましくは、以下の（Ａ）〜（Ｆ）の内少なくとも一つを満足させることが望ましい。
（Ａ）
前記広角端における全系の焦点距離をｆｗ、望遠端における全系の焦点距離をｆｔとしたとき、
３．３＜ｆｔ／ｆｗ＜９              （５）
なる条件を満足すること。
（Ｂ）
前記最も像側に配置された正レンズ群の焦点距離をｆｒ、広角端における全系の焦点距離をｆｗとしたとき、
１＜ｆｒ／ｆｗ＜２．５              （６）
なる条件を満足すること。
（Ｃ）
無限遠から至近までの被写体に対して少なくとも前記第２群を光軸上移動させてフォーカシングを行い、前記第２群の焦点距離をｆ２、広角端における全系の焦点距離をｆｗとしたとき、
−１．５＜ｆ２／ｆｗ＜−０．４      （７）
なる条件を満足すること。
（Ｄ）
前記第１群の焦点距離をｆ１、広角端における全系の焦点距離をｆｗとしたとき、
２＜ｆ１／ｆｗ＜７                  （８）
なる条件を満足すること。
（Ｅ）
前記最も像側に配置された正レンズ群中の正レンズの平均アッベ数をVpave、負レンズの平均アッベ数をVnaveとしたとき、
３５＜Vpave−Vnave＜７７              （９）
なる条件を満足すること。
【００３９】
次に、（Ａ）〜（E）の技術的意味について説明する。
（Ａ）
条件式（５）を満足するようにしている。条件式（５）は、変倍比を規定したものである。
【００４０】
条件式（５）の下限値を超えると変倍比が小さくなり過ぎて本発明の目的とする変倍比が得られなくなるので好ましくない。また、下限値を超えると全長が大きくなり過ぎるので好ましくない。
【００４１】
更に好ましくは、条件式（５）の上限値を７．４とすることが望ましい。
（Ｂ）
条件式（６）を満足するようにしている。前記最も像側に配置された正レンズ群の焦点距離と、広角端における全系の焦点距離の比に関し、主に十分なバックフォーカスの確保と高性能化を図るためのものである。
【００４２】
条件式（６）の下限値を超えると前記正レンズ群の屈折力が強くなり過ぎて特に広角端における歪曲収差と像面湾曲が補正困難となるため好ましくない。また、上限値を超えると前記正レンズ群の屈折力が弱くなり過ぎて特バックフォーカスを十分に確保することが困難となり、また、全変倍範囲において良好な倍率色収差が得られなくなるので好ましくない。
【００４３】
更に好ましくは、上限式（６）の下限値を１．３とすることが望ましい。また、上限値を２．０とすることが望ましい。
（Ｃ）
無限遠から至近までの被写体に対して少なくとも前記第２群を光軸上移動させてフォーカシングを行うようにしている。前記第２群は比較的屈折力が強く、フォーカシングの際の繰出し量が少なくて済み、更に、フォーカシングによる収差変動が少ないので好ましい。
【００４４】
また、条件式（７）を満足するようにしている。
【００４５】
条件式（７）は、前記第２群の焦点距離と広角端における全系の焦点距離の比に関し、主に小型化と高性能のバランスを図るためのものである。
【００４６】
条件式（７）の下限値を超えると第２群の屈折力が弱くなり過ぎて、フォーカシングにおける繰出し量が増大するので好ましくない。更に、広角端における第１群と第２群の負の合成屈折力が弱くなり前玉径が増大するので良くない。また、上限値を超えると第２群の屈折力が強くなり過ぎて、フォーカシングによる収差変動を抑制することが困難となり、また、特に広角端における歪曲収差と像面湾曲を良好に補正することが困難となるため好ましくない。
【００４７】
更に好ましくは、上限式（７）の下限値を−１．１とすることが望ましい。また、上限値を−０．５とすることが望ましい。
（Ｄ）
条件式（８）を満足するようにしている。
【００４８】
条件式（８）は、第１群の焦点距離と広角端における全系の焦点距離の比に関し、主に小型化と高性能化のバランスを図るためのものである。
【００４９】
条件式（８）の下限値を超えると第１群の屈折力が強くなり過ぎて特に望遠端における軸上色収差、球面収差の補正が困難となるので好ましくない。また、上限値を超えると第1群の屈折力が弱くなり過ぎて、第２群の変倍作用を高めるために第１群の移動量が増大するため、特に望遠端におけるレンズ全長が増大するため好ましくない。
【００５０】
更に好ましくは、条件式（８）の下限値を３．５とすることが望ましい。また、上限値を６．５とすることが望ましい。
（Ｅ）
条件式（９）を満足するようにしている。
【００５１】
条件式（９）は、前記最も像側に配置された正レンズ群中の正レンズの平均アッベ数と、負レンズの平均アッベ数の差分を規定したものであり、良好な色収差を得るための材質の特性を規定したのものである。
【００５２】
条件式（９）の下限値を超えると特に広角端における倍率色収差の補正が困難となり、また、変倍による軸上色収差の補正が困難となるため好ましくない。また、上限値を超えると特に望遠端における倍率色収差が補正困難となり、また、広角端における倍率色収差が補正過剰になるので好ましくない。
【００５３】
更に好ましくは、条件式（９）の下限値を４０とすることが望ましい。また、上限値を６０とすることが望ましい。
【００５４】
以上で本発明の目的は達成される。
【００５５】
また、本発明においてはメカ構造の簡素化を図るために第２群と第４群を変倍において略一体移動するようにしているが、一体に移動させなくても良い。
【００５６】
次に本発明の数値実施例を示す。数値実施例においてＲｉは物体側より順に第ｉ番目のレンズ面の曲率半径、Ｄｉはそれぞれ第ｉ番目のレンズ厚または空気間隔、ＮｉとＶｉは第ｉ番目のレンズの材質の屈折率とアッベ数である。また、非球面形状はレンズ面の中心部の曲率半径をＲとし、光軸方向２をＸ軸とし、光軸と垂直方向をＹ軸とし、Ａ，Ｂ，Ｃ，Ｄ，Ｅ，Ｆをそれぞれ非球面係数としたとき、
【００５７】
【数１】
2006184430.tif 000003
【００５８】
表１には本発明の上述した条件式と数値実施例の関係を示す。
【００５９】
【表１】
2006184430.tif 000004
【００６０】
数値実施例１
ｆ＝ 17.5〜 125.0  Ｆｎｏ＝ 3.9 〜 5.8  ２ω＝75.8 〜 12.5
R 1 =  109.578      D 1 =  1.20      N 1 = 1.846660      ν 1 = 23.9
R 2 =   49.715      D 2 =  7.60      N 2 = 1.603112      ν 2 = 60.6
R 3 = -1980.290      D 3 =  0.12
R 4 =   43.070      D 4 =  5.20      N 3 = 1.729157      ν 3 = 54.7
R 5 =  123.288      D 5 =  可変
R 6 =   94.216      D 6 =  1.20      N 4 = 1.772499      ν 4 = 49.6
R 7 =   10.782      D 7 =  5.01
R 8 = -107.342      D 8 =  1.00      N 5 = 1.882997      ν 5 = 40.8
R 9 =   21.695      D 9 =  0.15
R10 =   16.162      D10 =  5.00      N 6 = 1.805181      ν 6 = 25.4
R11 =  -30.471      D11 =  0.30
R12 =  -22.501      D12 =  1.00      N 7 = 1.804000      ν 7 = 46.6
R13 =   74.096      D13 =  可変
R14 =    絞り       D14 =  可変 
R15 =   46.729      D15 =  0.80      N 8 = 1.719995      ν 8 = 50.2
R16 =   15.524      D16 =  2.85      N 9 = 1.487490      ν 9 = 70.2
R17 =  -49.878      D17 =  0.15
R18 =   24.202      D18 =  4.30      N10 = 1.487490      ν10 = 70.2
R19 =  -11.349      D19 =  0.90      N11 = 1.688931      ν11 = 31.1
R20 =  -18.150      D20 =  可変
R21 =  -64.282      D21 =  2.00      N12 = 1.846660      ν12 = 23.9
R22 =  -17.706      D22 =  0.80      N13 = 1.762000      ν13 = 40.5
R23 =   79.572      D23 =  可変
R24 =  -17.203      D24 =  1.20      N14 = 1.772499      ν14 = 49.6
R25 =  -31.365      D25 =  可変
* R26 =   44.878      D26 =  8.00      N15 = 1.592400      ν15 = 68.3
* R27 =  -19.575      D27 =  3.39
R28 =  -20.732      D28 =  3.50      N16 = 1.487490      ν16 = 70.2
R29 =  -13.892      D29 =  2.00      N17 = 1.846660      ν17 = 26.8
R30 =  -23.221
＼焦点距離    17.5     28.3     125.0
可変間隔＼
D 5             2.15    11.12     36.33
D13            15.25    11.10      1.51
D20             0.80     3.68      9.54
D23             8.70     8.65      8.44
D25             8.89     6.06      0.41
非球面係数
26面 : ｋ=4.61937e+00  Ａ=０  Ｂ=-9.18695e-06  Ｃ=1.12030e-07  Ｄ=-1.14964e-09 E=8.78532e-12 F=-3.56269e-14
27面 : ｋ=-3.18309e-01  Ａ=０  Ｂ=8.95994e-06  Ｃ=5.90045e-08  Ｄ=-5.24266e-10 E=6.49826e-12 F=-3.22037e-14
数値実施例２
ｆ＝ 18.4〜 119.9  Ｆｎｏ＝ 3.8 〜 5.8  ２ω＝73.2 〜 13.0
R 1 =  108.073      D 1 =  1.40      N 1 = 1.846660      ν 1 = 23.9
R 2 =   48.994      D 2 =  7.75      N 2 = 1.603112      ν 2 = 60.6
R 3 = -89209.411      D 3 =  0.12
R 4 =   41.720      D 4 =  5.60      N 3 = 1.729157      ν 3 = 54.7
R 5 =  116.913      D 5 =  可変
* R 6 =  109.780      D 6 =  1.20      N 4 = 1.772499      ν 4 = 49.6
R 7 =   11.069      D 7 =  5.01
R 8 = -223.208      D 8 =  1.00      N 5 = 1.882997      ν 5 = 40.8
R 9 =   26.803      D 9 =  0.15
R10 =   16.544      D10 =  5.20      N 6 = 1.805181      ν 6 = 25.4
R11 =  -38.042      D11 =  0.30
R12 =  -28.406      D12 =  1.00      N 7 = 1.804000      ν 7 = 46.6
R13 =   39.901      D13 =  可変
R14 =    絞り       D14 =  可変 
R15 =   42.848      D15 =  0.80      N 8 = 1.719995      ν 8 = 50.2
R16 =   15.222      D16 =  2.85      N 9 = 1.487490      ν 9 = 70.2
R17 =  -63.750      D17 =  0.15
R18 =   24.202      D18 =  4.30      N10 = 1.487490      ν10 = 70.2
R19 =  -11.349      D19 =  0.90      N11 = 1.688931      ν11 = 31.1
R20 =  -18.150      D20 =  可変
R21 =  -64.282      D21 =  2.00      N12 = 1.846660      ν12 = 23.9
R22 =  -17.706      D22 =  0.80      N13 = 1.762000      ν13 = 40.5
R23 =   79.572      D23 =  可変
R24 =  -17.203      D24 =  1.20      N14 = 1.696797      ν14 = 55.5
R25 =  -31.365      D25 =  可変
* R26 =   44.838      D26 =  8.25      N15 = 1.592400      ν15 = 68.3
* R27 =  -20.332      D27 =  2.39
R28 =  -27.458      D28 =  3.50      N16 = 1.487490      ν16 = 70.2
R29 =  -15.854      D29 =  2.10      N17 = 1.846660      ν17 = 26.8
R30 =  -29.226
＼焦点距離    18.4      29.6     119.9
可変間隔＼
D 5             2.15    10.90     34.19
D13            14.25    10.01      0.96
D20             0.80     3.76      9.99
D23             8.70     8.70      8.70
D25             9.29     6.33      0.09
非球面係数
6面 :  Ａ=0.00000e+00  Ｂ=-9.80829e-07  Ｃ=-9.14476e-09  Ｄ=1.58236e-10  E=-4.59126e-13 F=0.00000e+00
26面 : ｋ=4.46120e+00  Ａ=０  Ｂ=-1.15407e-05  Ｃ=5.98173e-08  Ｄ=-6.97299e-10 E=3.60542e-12 F=-1.59183e-14
27面 : ｋ=-3.01465e-01  Ａ=０  Ｂ=8.79488e-06  Ｃ=3.22934e-08  Ｄ=-9.25972e-11 E=5.76370e-13 F=-9.65242e-15
数値実施例３
ｆ＝ 17.4〜 115.0  Ｆｎｏ＝ 3.8 〜 5.8  ２ω＝76.4 〜 13.5
R 1 =  112.158      D 1 =  1.40      N 1 = 1.846660      ν 1 = 23.9
R 2 =   47.881      D 2 =  7.75      N 2 = 1.603112      ν 2 = 60.6
R 3 = -1085.386      D 3 =  0.12
R 4 =   41.258      D 4 =  5.60      N 3 = 1.733997      ν 3 = 51.5
R 5 =  122.845      D 5 =  可変
* R 6 =  160.493      D 6 =  1.20      N 4 = 1.772499      ν 4 = 49.6
R 7 =   10.446      D 7 =  5.01
R 8 = -131.556      D 8 =  1.00      N 5 = 1.882997      ν 5 = 40.8
R 9 =   27.091      D 9 =  0.15
R10 =   16.428      D10 =  5.10      N 6 = 1.805181      ν 6 = 25.4
R11 =  -35.554      D11 =  0.40
R12 =  -30.002      D12 =  1.00      N 7 = 1.804000      ν 7 = 46.6
R13 =   38.167      D13 =  可変
R14 =    絞り       D14 =  可変 
R15 =   38.568      D15 =  0.80      N 8 = 1.719995      ν 8 = 50.2
R16 =   14.827      D16 =  2.85      N 9 = 1.487490      ν 9 = 70.2
R17 =  -68.492      D17 =  0.15
R18 =   24.202      D18 =  4.30      N10 = 1.487490      ν10 = 70.2
R19 =  -11.349      D19 =  0.90      N11 = 1.688931      ν11 = 31.1
R20 =  -18.150      D20 =  可変
R21 =  -64.282      D21 =  2.00      N12 = 1.846660      ν12 = 23.9
R22 =  -17.706      D22 =  0.80      N13 = 1.762000      ν13 = 40.5
R23 =   79.572      D23 =  可変
R24 =  -17.203      D24 =  1.20      N14 = 1.696797      ν14 = 55.5
R25 =  -31.365      D25 =  可変
* R26 =   42.929      D26 =  8.25      N15 = 1.569070      ν15 = 71.3
* R27 =  -19.476      D27 =  2.39
R28 =  -26.034      D28 =  3.50      N16 = 1.487490      ν16 = 70.2
R29 =  -15.694      D29 =  2.10      N17 = 1.846660      ν17 = 26.8
R30 =  -28.410
＼焦点距離    17.4     27.9     115.0
可変間隔＼
D 5             2.15    10.58     33.26
D13            14.25    10.33      1.88
D20             0.80     3.76      9.99
D23             8.70     8.70      8.70
D25             9.28     6.32      0.09
非球面係数
6面 :  Ａ=0.00000e+00  Ｂ=1.53807e-07  Ｃ=-4.80490e-09  Ｄ=1.11951e-10  E=-4.08677e-13 F=0.00000e+00
26面 : ｋ=3.03654e+00  Ａ=０  Ｂ=-1.21308e-05  Ｃ=7.16708e-08  Ｄ=-7.64648e-10 E=3.68377e-12 F=-1.67032e-14
27面 : ｋ=-2.49032e-01  Ａ=０  Ｂ=1.07505e-05  Ｃ=3.07911e-08  Ｄ=-5.28761e-11 E=2.68527e-13 F=-9.98419e-15
数値実施例４
ｆ＝ 18.2〜  65.4  Ｆｎｏ＝ 4.1 〜 5.9  ２ω＝73.6 〜 23.5
R 1 =   55.024      D 1 =  7.23      N 1 = 1.712995      ν 1 = 53.9
R 2 = -286.268      D 2 =  1.15      N 2 = 1.846660      ν 2 = 23.9
R 3 =  250.468      D 3 =  可変
R 4 =   39.077      D 4 =  1.00      N 3 = 1.772499      ν 3 = 49.6
R 5 =   11.219      D 5 =  7.62
R 6 =  -48.552      D 6 =  0.90      N 4 = 1.696797      ν 4 = 55.5
R 7 =   26.431      D 7 =  0.08
R 8 =   19.778      D 8 =  3.80      N 5 = 1.846660      ν 5 = 23.9
R 9 =  105.381      D 9 =  可変
R10 =    絞り       D10 =  4.00
R11 =   29.519      D11 =  2.20      N 6 = 1.487490      ν 6 = 70.2
R12 =  -77.547      D12 =  0.45
R13 =  -29.152      D13 =  0.90      N 7 = 1.846660      ν 7 = 23.9
R14 =  -76.249      D14 =  可変
R15 =   15.275      D15 =  3.62      N 8 = 1.496999      ν 8 = 81.5
* R16 =  -48.496      D16 =  6.25
R17 =  -59.140      D17 =  1.15      N 9 = 1.583060      ν 9 = 30.2
* R18 = -434.211
＼焦点距離     18.2    31.6      65.4
可変間隔＼
D 3             2.76    15.90     36.79
D 9            19.36     9.55      0.97
D14             4.36     2.61      2.23
非球面係数
16面 :  Ａ=0.00000e+00  Ｂ=2.89795e-06  Ｃ=1.58380e-08  Ｄ=-3.03587e-09  E=7.80594e-11 F=0.00000e+00
18面 : ｋ=0.00000e+00  Ａ=０  Ｂ=1.09487e-04  Ｃ=6.67293e-07  Ｄ=0.00000e+00 E=0.00000e+00 F=0.00000e+00
図５〜６は本発明の数値実施例１のズームレンズの広角端、望遠端の収差図である。
【００６１】
図７〜８は本発明の数値実施例２のズームレンズの広角端、望遠端の収差図である。
【００６２】
図９〜１０は本発明の数値実施例３のズームレンズの広角端、望遠端の収差図である。
【００６３】
図１１〜１２は本発明の数値実施例４のズームレンズの広角端、望遠端の収差図である。
【図面の簡単な説明】
【００６４】
【図１】本発明の数値実施例１の広角端のレンズ断面図
【図２】本発明の数値実施例２の広角端のレンズ断面図
【図３】本発明の数値実施例３の広角端のレンズ断面図
【図４】本発明の数値実施例４の広角端のレンズ断面図
【図５】本発明の数値実施例１の広角端での諸収差図
【図６】本発明の数値実施例１の望遠端での諸収差図
【図７】本発明の数値実施例２の広角端での諸収差図
【図８】本発明の数値実施例２の望遠端での諸収差図
【図９】本発明の数値実施例３の広角端での諸収差図
【図１０】本発明の数値実施例３の望遠端での諸収差図
【図１１】本発明の数値実施例４の広角端での諸収差図
【図１２】本発明の数値実施例４の望遠端での諸収差図
【符号の説明】
【００６５】
ΔＳ  サジタル
ΔＭ  メリジオナル
ＳＰ  絞り
Ｌ１  第１群
Ｌ２  第２群
Ｌ３  第３群
Ｌ４  第４群
Ｌ５  第５群
【図１】
2006184430.tif 000005
【図２】
2006184430.tif 000006
【図３】
2006184430.tif 000007
【図４】
2006184430.tif 000008
【図５】
2006184430.tif 000009
【図６】
2006184430.tif 000010
【図７】
2006184430.tif 000011
【図８】
2006184430.tif 000012
【図９】
2006184430.tif 000013
【図１０】
2006184430.tif 000014
【図１１】
2006184430.tif 000015
【図１２】
2006184430.tif 000016